(57)【要約】【課題】カーナビゲーションシステム等を利用した情報提供サービスにおいては、コンテンツ視聴時の安全性確保が大きな問題とされている。【解決手段】自動車に搭載され、自動車の利用者にコンテンツを提供する車載コンテンツ提供装置において、現在地の情報を取得する現在位置取得部と、目的地の情報及び配信を要求する前記コンテンツを選択する指示が入力される指示入力部と、前記指示に基づいて検索されたコンテンツを編集する制御部と、前記編集されたコンテンツを出力する出力部と、を備え、前記制御部は、前記現在地から前記目的地までの経路を検索した結果に含まれる、前記経路に付された属性情報に基づいて、前記経路において前記コンテンツの出力する又は出力しない区間を判定し、前記判定の結果に基づいて前記コンテンツを編集する。【選択図】      図４
2005257365.tif 000002
【特許請求の範囲】
【請求項１】
自動車に搭載され、自動車の利用者にコンテンツを提供する車載コンテンツ提供装置において、
現在地の情報を取得する現在位置取得部と、
目的地の情報及び配信を要求する前記コンテンツを選択する指示が入力される指示入力部と、
前記指示に基づいて検索されたコンテンツを編集する制御部と、
前記編集されたコンテンツを出力する出力部と、を備え、
前記制御部は、前記現在地から前記目的地までの経路を検索した結果に含まれる、前記経路に付された属性情報に基づいて、前記経路において前記コンテンツの出力する又は出力しない区間を判定し、前記判定の結果に基づいて前記コンテンツを編集することを特徴とする車載コンテンツ提供装置。
【請求項２】
配信を要求する前記コンテンツを選択する前記指示を外部のサーバに送信し、前記指示に対応した前記サーバが送信した前記コンテンツを受信する送受信部を備え、
前記制御部は、前記送受信部が受信したコンテンツを編集することを特徴とする請求項１に記載の車載コンテンツ提供装置。
【請求項３】
前記制御部は、前記属性情報として、運転者の注意を特に要する区間であることを示す情報が付された区間においては前記コンテンツを出力しないように編集することを特徴とする請求項１又は２に記載の車載コンテンツ提供装置。
【請求項４】
前記制御部は、予め定められた、前記コンテンツの再生時間の上限及び下限の範囲内において、前記コンテンツを編集することを特徴とする請求項１から３のいずれか一つに記載の車載コンテンツ提供装置。
【請求項５】
前記制御部は、前記コンテンツを出力しない区間の所要時間と前記コンテンツの出力時間とを比較し、その比較の結果に基づいて編集することを特徴とする請求項１から４のいずれか一つに記載の車載コンテンツ提供装置。
【請求項６】
前記制御部は、複数の前記コンテンツが選択された場合には、前記コンテンツを提供しない区間の所要時間と前記各コンテンツの出力時間とを比較することを特徴とする請求項５に記載の車載コンテンツ提供装置。
【請求項７】
前記制御部は、予め定められた、前記コンテンツを出力する区間の間に存在する前記コンテンツを出力しない区間の所要時間の上限値、及び／又は、異なる種類の前記コンテンツを出力する区間の間に存在する前記コンテンツを出力しない区間の所要時間の上限値、に基づいて前記編集を行うことを特徴とする請求項５又は６に記載の車載コンテンツ提供装置。
【請求項８】
自動車に搭載され、自動車の利用者にコンテンツを提供する車載コンテンツ提供装置において、
現在地の情報を取得する現在位置取得部と、
目的地の情報及び配信を要求する前記コンテンツを選択する指示が入力される指示入力部と、
前記指示に基づいて検索されたコンテンツを編集する制御部と、
前記編集されたコンテンツを出力する出力部と、を備え、
前記制御部は、前記現在地から前記目的地又は中継地までの所要時間を算出し、当該算出された前記所要時間とそれ以前に算出された前記所要時間とを比較した結果、前記所要時間の所定の値以上の変化が検出されると、前記コンテンツの未出力部分の出力時間が当該算出された所要時間と略一致するように前記コンテンツを再編集することを特徴とする車載コンテンツ提供装置。
【請求項９】
配信を要求する前記コンテンツを選択する前記指示を外部のサーバに送信し、前記指示に対応した前記サーバが送信した前記コンテンツを受信する送受信部を備え、
前記制御部は、前記送受信部が受信したコンテンツを編集することを特徴とする請求項８に記載の車載コンテンツ提供装置。
【請求項１０】
前記制御部は、予め定められた、前記コンテンツの再生時間の上限及び下限の範囲内において、前記コンテンツを編集することを特徴とする請求項８又は９に記載の車載コンテンツ提供装置。
【請求項１１】
前記制御部は、所定の間隔で前記所要時間を算出することを特徴とする請求項８から１０のいずれか一つに記載の車載コンテンツ提供装置。
【請求項１２】
道路状況に関する情報を受信する受信部を備え、
前記制御部は、前記情報を受信すると、前記受信した情報を参酌して前記所要時間を算出することを特徴とする請求項８から１１のいずれか一つに記載の車載コンテンツ提供装置。
【請求項１３】
自動車に搭載された車載端末にコンテンツを提供するコンテンツ提供装置において、
車載端末の現在地の情報、目的地の情報及び配信を要求するコンテンツを選択する指示を受信する受信部と、
前記指示に基づいて前記コンテンツを検索する検索部と、
前記検索されたコンテンツを編集するコンテンツ編集部と、
前記編集されたコンテンツを前記車載端末に出力する出力部と、を備え、
前記コンテンツ編集部は、前記現在地から前記目的地までの経路を検索した結果に含まれる前記経路に付された属性情報、及び、前記目的地までの予想所要時間に基づいて、前記経路における前記コンテンツの出力する又は出力しない区間を判定し、前記判定結果に基づいて前記コンテンツを編集することを特徴とするコンテンツ提供装置。
【発明の詳細な説明】
【技術分野】
【０００１】
本発明は、車載コンテンツ提供方法に関するものであり、特に、所要時間の変化に応じて編集を行う車載コンテンツ提供方法及び経路上の部分区間の属性に応じて編集を行う車載コンテンツ提供方法に関する。
【背景技術】
【０００２】
近年、カーナビゲーションシステムを利用した情報提供サービスが注目を集めている。このサービスは、センタから配信されたニュース、天気情報、交通情報、観光情報等を、カーナビゲーションシステムを通じて提供するものである。しかしながら、配信を要求した情報の提供が終了する前に目的地に到着すると、提供を途中で終了するか、又は終了するまで待たざるを得ない。このため、特許文献１に開示されているように、目的地までの到着時間等に応じて、コンテンツを編集し、提供する方法が提案されている。
【特許文献１】特開２００２−２６９１４１号公報
【発明の開示】
【発明が解決しようとする課題】
【０００３】
目的地までの経路上には、比較的安全な区間の他に、事故が多発している区間、蛇行道路等で特に注意を要する区間等、種々の属性を備えた区間が存在する。しかし、従来のコンテンツ提供方法は、区間の属性に関りなくコンテンツを提供するため、運転の安全性を確保するための配慮が十分とはいえない。このようなコンテンツ視聴時の安全性の確保は、カーナビゲーションシステムを利用した情報提供サービスが抱える大きな問題点とされている。
【０００４】
また、従来のコンテンツ提供方法は、一度コンテンツを編集すると、道路混雑等によって到着時間が変動しても、再編集が行われることはない。このため、到着時間が早まると、到着するまでにコンテンツの提供が終了せず、また、到着時間が遅れるとコンテンツの提供がされない時間が生じるという問題がある。
【０００５】
本発明は、このような問題点に鑑みてなされたものであり、時々刻々と変化する道路交通の特性に対応しつつ、運転の安全性確保に配慮した車載コンテンツ提供装置を提供することを目的とする。
【課題を解決するための手段】
【０００６】
第１の発明は、自動車に搭載され、自動車の利用者にコンテンツを提供する車載コンテンツ提供装置において、現在地の情報を取得する現在位置取得部と、目的地の情報及び配信を要求する前記コンテンツを選択する指示が入力される指示入力部と、前記指示に基づいて検索されたコンテンツを編集する制御部と、前記編集されたコンテンツを出力する出力部と、を備え、前記制御部は、前記現在地から前記目的地までの経路を検索した結果に含まれる、前記経路に付された属性情報に基づいて、前記経路において前記コンテンツの出力する又は出力しない区間を判定し、前記判定の結果に基づいて前記コンテンツを編集することを特徴とする。
【０００７】
第２の発明は、自動車に搭載され、自動車の利用者にコンテンツを提供する車載コンテンツ提供装置において、現在地の情報を取得する現在位置取得部と、目的地の情報及び配信を要求する前記コンテンツを選択する指示が入力される指示入力部と、前記指示に基づいて検索されたコンテンツを編集する制御部と、前記編集されたコンテンツを出力する出力部と、を備え、前記制御部は、前記現在地から前記目的地又は中継地までの所要時間を算出し、当該算出された前記所要時間とそれ以前に算出された前記所要時間とを比較した結果、前記所要時間の所定の値以上の変化が検出されると、前記コンテンツの未出力部分の出力時間が当該算出された所要時間と略一致するように前記コンテンツを再編集することを特徴とする。
【発明の効果】
【０００８】
本発明によれば、目的地までの経路のうち、特に運転に注意を要する区間ではコンテンツを提供しないため、運転の安全性を確保することができる。また、目的地までの所要時間の変化を検出し、目的地に到着する時に提供が全て終了するように再編集したコンテンツを提供するため、時々刻々と変化する道路交通の特性に対応したコンテンツ提供を実現し、ユーザの利便性及び快適性を著しく向上することができる。
【発明を実施するための最良の形態】
【０００９】
以下、本発明を実施するための最良と思われる形態について、図面を参照して説明する。
【実施例１】
【００１０】
図１は、本発明の第１の実施例の車載コンテンツ提供システムの構成を示すブロック図である。
【００１１】
本実施例の車載コンテンツ提供システムは、サーバ１０と、インターネット２０と、車載装置３０とから成る。
【００１２】
サーバ１０は、車載装置３０から、経路検索に必要な情報及びコンテンツの配信要求を受信して、経路検索結果、コンテンツリスト及びコンテンツを車載装置３０に送信する。
【００１３】
車載装置３０は、経路検索に必要な情報及びコンテンツの配信要求をサーバ１０に送信し、サーバ１０から受信した経路検索結果及びコンテンツリストに従って、コンテンツ提供時間を推定し、コンテンツを編集し、編集されたコンテンツを車両位置に応じて出力する。更に、経路検索結果に所定の値以上の変化が生じた場合には、上記コンテンツの未出力部分を再編集する。
【００１４】
サーバ１０と車載装置３０との間の通信は、インターネット２０を介して行われる。
【００１５】
図２は、本実施例のサーバ１０の構成を示すブロック図である。サーバ１０は、送受信部１００、経路検索部１１０、コンテンツ検索部１２０及びデータベース１３０から成る。
【００１６】
送受信部１００は、車載装置３０からの信号を受信してベースバンド信号に変換し、サーバ１０からのデータを変調して車載装置３０に送信する。
【００１７】
経路検索部１１０は、現在位置、目的地、混雑情報等に基づいて経路検索を行う。
【００１８】
コンテンツ検索部１２０は、コンテンツの配信要求の内容に適合するコンテンツをデータベース１３０から検索し、コンテンツの配信要求の内容に適合するコンテンツリストを作成する。
【００１９】
データベース１３０は、各種のコンテンツ及びコンテンツリストを格納する。
【００２０】
図３は、コンテンツリストの例を示す図である。コンテンツリストは、コンテンツの種類１３１ごとに、出力にかかる時間１３２、更新日時１３３等の、編集を行うときに必要となるコンテンツの情報のリストである。
【００２１】
図４は、本実施例の車載装置３０の構成を示すブロック図である。車載装置３０は、指示入力部３００、現在位置取得部３１０、送受信部３２０、経路検索格納部３３０、コンテンツ格納部３４０、コンテンツ提供時間推定部３５０、編集部３６０、出力管理部３７０、出力部３８０及びコンテンツ提供時間変化検出部３９０から成る。
【００２２】
指示入力部３００は、目的地を含む経路検索に必要な情報、コンテンツの種類を含むコンテンツの配信要求内容、及び、各種の指示を、利用者から入力されると、これらを車載装置３０内の各部に伝達する。
【００２３】
現在位置取得部３１０は、たとえば、ＧＰＳ受信機によって構成されており、現在位置の取得要求を受けると、車両の現在位置（経度、緯度）の情報を提供する。
【００２４】
送受信部３２０は、サーバ１０からの信号を受信して、ベースバンド信号に変換し、車載装置３０からのデータを変調して、サーバ１０に送信する。
【００２５】
経路検索格納部３３０は、サーバ１０から受信した経路検索結果を格納する。また、経路検索結果の取得要求を受け取ると、格納されている最新の経路検索結果を提供する。
【００２６】
コンテンツ格納部３４０は、サーバ１０から受信したコンテンツリスト及びコンテンツを格納する。また、コンテンツリスト、コンテンツの取得要求を受けると、取得要求の内容に応じたコンテンツリスト及びコンテンツを提供する。
【００２７】
コンテンツ提供時間推定部３５０は、経路検索結果等に基づいて、コンテンツ提供時間を推定する。また、コンテンツ提供時間、コンテンツリスト、出力進捗等に基づいて、編集リストを作成する。
【００２８】
編集部３６０は、編集リスト及びコンテンツリストに基づいて、コンテンツを編集し、編集済みコンテンツを作成する。
【００２９】
出力管理部３７０は、車両の現在位置に応じた編集済みコンテンツを出力部３８０に与える。また、コンテンツ提供時間推定部３５０に、コンテンツの出力進捗に関する情報を提供し、コンテンツ格納部３４０に、出力進捗に応じたコンテンツリスト取得要求を与える。
【００３０】
出力部３８０は、出力管理部３７０から与えられた編集済みコンテンツを出力する。
【００３１】
コンテンツ提供時間変化検出部３９０は、現在位置取得部３１０から所定間隔で車両の現在位置を取得し、所要時間の変化を検出する。所要時間が所定の値以上変化した場合は、コンテンツ提供時間推定部３５０に、経路検索結果を取得する取得要求を与える。
【００３２】
図５は、本実施例の車載コンテンツ提供システムの処理過程を示すフローチャートである。
【００３３】
車載装置３０の指示入力部３００が指示を受け付ける動作を開始すると（Ｓ１００）、利用者は、指示入力部３００から、目的地を含む経路検索に必要な情報、コンテンツの種類を含むコンテンツの配信要求内容、及び、各種の指示を入力する（Ｓ１０１）。各種の指示には、編集方法に関する指示、複数のコンテンツを指示した場合に必要とされる出力配分に関する指示等が含まれる。ここで、出力配分とは、複数種類のコンテンツの出力時間の割合を指定するものである。例えば、ニュースとスポーツの配信を要求した場合、出力時間全体に対して、ニュースの出力時間を６割、スポーツの出力時間を４割とする等、利用者の好み等に合わせて任意に指定することができる。
【００３４】
指示入力部３００は、目的地を含む経路検索に必要な情報が入力されると、現在位置取得部３１０に車両の現在位置の取得要求を与え、これを取得する（Ｓ１０２）。
【００３５】
指示入力部３００は、目的地を含む経路検索に必要な情報と、コンテンツの種類を含むコンテンツの配信要求とが入力されると、少なくとも、コンテンツ提供時間推定部３５０に経路検索結果を取得する取得要求を与え、コンテンツ提供時間変化検出部３９０に目的地名を与える。コンテンツ提供時間変化検出部３９０は、目的地名を受け取って、該目的地名を記憶領域（図示せず）に格納する。
【００３６】
指示入力部３００は、現在位置、目的地を含む経路検索に必要な情報と、コンテンツの種類を含むコンテンツの配信要求内容とを送受信部３２０に与える。送受信部３２０は、これらの情報等を、データを変調して、サーバ１０に送信する（Ｓ１０３）。
【００３７】
サーバ１０の送受信部１００は、インターネット２０を介して、現在位置、目的地を含む経路検索に必要な情報と、コンテンツの種類を含むコンテンツの配信要求内容を受信する（Ｓ１０４）。経路検索部１１０は、車載装置３０から受信した経路検索に必要な情報と、予想を含む混雑情報とに基づいて、経路検索を行う（Ｓ１０５）。
【００３８】
図６は、経路検索結果の例を示す図である。経路検索結果は、通過点の位置情報１１２、通過点間の所要時間１１３、通過点間の属性情報１１４及び各通過点を特定する管理番号１１１を含む。
【００３９】
ここで、属性情報１１４は、各通過点の間の区間（部分区間）ごとに付されているもので、右左折が生じる区間であったり、過去に事故が多発している区間であったり、山道のように運転者に負担がかかる区間である等、運転の際の注意を喚起する情報が含まれる。
【００４０】
コンテンツ検索部１２０は、車載装置３０から受信した、コンテンツの種類を含むコンテンツの配信要求内容に適合するコンテンツを、データベース１３０から検索する（Ｓ１０６）。また、コンテンツ検索部１２０は、データベース１３０に格納されたコンテンツリストから、車載装置３０から受信したコンテンツの種類を含むコンテンツの配信要求内容に適合するコンテンツリストを作成する（Ｓ１０７）。
【００４１】
図７は、コンテンツの種類としてニュース及びスポーツを指定した配信要求を受信した場合のコンテンツリストの例を示す図である。ここで、作成されるコンテンツリストは、コンテンツの種類１３６並びにコンテンツの種類ごとの出力に要する時間１３７及び更新日時１３８を含む。
【００４２】
経路検索部１１０は、作成された経路検索結果を、送受信部１００に与える。コンテンツ検索部１２０は、検索されたコンテンツ及び作成されたコンテンツリストを、送受信部１００に与える。送受信部１００は、インターネット２０を介して、少なくとも、経路検索結果、コンテンツリスト及びコンテンツを、車載装置３０へ送信する（Ｓ１０８）。
【００４３】
車載装置３０の送受信部３２０は、経路検索結果、コンテンツリスト及びコンテンツをサーバ１０から受信して、ベースバンド信号に変換する。そして、経路検索結果を経路検索格納部３３０に、コンテンツリスト及びコンテンツをコンテンツ格納部３４０にそれぞれ格納する（Ｓ１０９）。
【００４４】
なお、本実施例においては、サーバ１０が経路検索部１１０を備えることとしたが、車載装置３０が経路検索部１１０を備えてもよい。この場合、車載装置３０は経路検索に必要な情報をサーバ１０に送信せず、車載装置３０内の経路検索部１１０で経路検索を行い、その結果を経路検索格納部３３０に格納する。
【００４５】
コンテンツ提供時間推定部３５０は、指示入力部３００又はコンテンツ提供時間変化検出部３９０から経路検索結果の取得要求を受けて、経路検索格納部３３０に経路検索結果の取得要求を与え、これを取得する（Ｓ１１０）。そして、コンテンツ提供時間推定部３５０は、現在位置取得部３１０に現在位置の取得要求を与え、これを取得すると（Ｓ１１１）、その現在位置に基づいて、経路検索結果を現在位置以遠の経路検索結果に更新する（Ｓ１１２）。
【００４６】
図８は、図６に示す経路検索結果を現在以遠のものに更新した例を示す図である。この例では、現在位置が、緯度ＬＡ１１、経度ＬＯ１１であったため、既に通過した１から１０までの区間が番号３５１から削除されている。
【００４７】
コンテンツ提供時間推定部３５０は、現在位置以遠の経路検索結果の部分区間に付された属性情報３５４をもとに、該部分区間でのコンテンツ提供可否を判定する（Ｓ１１３）。例えば、右左折を生じる区間、事故が多発している区間、細街路で飛出し等を注意する必要がある区間、山道等で運転の負担が大きい区間、カーブが連続する区間、工事区間、バス停付近の区間、スクールゾーン等を、コンテンツの提供を行わない区間（コンテンツ提供不可区間）と判定する。これらの区間でコンテンツを提供しないことによって、運転者の注意力を運転に集中させ、運転の安全性を確保することができる。
【００４８】
図９は、コンテンツ提供不可区間の判定の例を示す図である。この例では、図８に示す経路検索結果から、事故多発区間と運転負担区間について、コンテンツ提供可否３５６を「不可」と判定している。このため、これらの区間がコンテンツ提供不可区間となる。
【００４９】
また、コンテンツ提供不可区間が連続して、コンテンツを提供できない時間が長時間に及び、提供されるコンテンツが長い中断時間の前後に分断されると、例えば、互いに関係の深い２つのニュースが長い中断時間をはさんで提供され、利用者による内容把握に支障をきたすおそれがある。このため、許容される中断時間の上限値を設定して、コンテンツを提供できない時間がその上限値を超える場合に、その前又は後のみにコンテンツを提供することによってコンテンツ提供の長時間の中断を回避してもよい。利用者は、このように中断を回避するか否かを選択することができる（Ｓ１１４）。
【００５０】
また、この上限値は、コンテンツ提供不可区間による中断が同種のコンテンツの提供区間の間にある場合と、異種のコンテンツの提供区間の間にある場合とで異なってもよい。一般に、同種のコンテンツの提供中に中断が入る場合と比較して、異種のコンテンツの提供の間に中断が入る場合は、中断時間が長くなっても利用者による内容把握に支障をきたすことが少ないと考えられるためである。例えば、提供されるコンテンツがニュースとスポーツである場合、ニュースの提供が終了してからスポーツの提供が開始するまでの間の中断時間の上限値を、ニュース又はスポーツを提供中の中断時間の上限値より長くしてもよい。
【００５１】
中断を回避する場合、コンテンツ提供時間推定部３５０は、コンテンツ提供不可区間の所要時間３５３に基づいて、コンテンツ提供候補区間を推定する。具体的には、連続するコンテンツ提供不可区間の所要時間３５３を加算した所要時間を、予め設定した上限値と比較して、所要時間が上限値を上回る場合には、その提供不可区間以前もしくは提供不可区間以後のいずれかをコンテンツ提供候補区間として推定する。
【００５２】
例えば、図９において、番号３５１が１０１から１５０までのコンテンツ提供不可区間の所要時間が上限値を上回り、かつ、その前後の提供可能区間の所要時間（提供可能時間）を比較すると、番号３５１が１０１より前の提供可能時間が大きいと判定された場合は、番号３５１が１０１より前の区間をコンテンツ提供候補区間として推定する（Ｓ１１５）。その結果、コンテンツ提供の長時間の中断が回避され、利用者によるコンテンツの内容把握を容易にすることができる。
【００５３】
まだコンテンツの編集が行われていない場合（Ｓ１１６）、コンテンツ提供時間推定部３５０は、出力管理部３７０から、コンテンツ格納部３４０に対するコンテンツリストの取得要求を受ける。コンテンツ提供時間推定部３５０は、コンテンツの出力配分を算出すると共に、コンテンツ格納部３４０にコンテンツリストの取得要求を与え、これを取得する（Ｓ１１８）。
【００５４】
コンテンツ提供時間推定部３５０は、コンテンツリスト、コンテンツの出力配分及びコンテンツ提供可否に関する情報又はコンテンツ提供候補区間に関する情報に基づいて、出力を開始するまでに要する時間を推計してコンテンツ提供時間を推定する（Ｓ１１９）。
【００５５】
一方、既にコンテンツの編集が行われており、後述する再編集を行おうとする場合は（Ｓ１１６）、再編集したコンテンツを出力開始するまでの時間に出力される再編集前のコンテンツの出力進捗を調べる必要がある。このため、コンテンツ提供時間推定部３５０は、出力管理部３７０に、上記のように推計した出力を開始するまでに要する時間が経過した時点での出力進捗を取得する要求を与え、その時間（一定時間）が経過した時点でのコンテンツの出力進捗割合を取得する（Ｓ１１７）。これと共に、コンテンツ格納部３４０に対する一定時間経過時点での出力進捗に応じたコンテンツリストを取得する取得要求を受ける。コンテンツ提供時間推定部３５０は、取得した出力進捗割合に応じて、コンテンツの出力配分を算出するとともに、コンテンツ格納部３４０に、一定時間経過時点の出力進捗に応じたコンテンツリスト取得要求を与え、これを取得する（Ｓ１１８）。例えば、当初の出力配分が、ニュース６割、スポーツ４割であり、一定時間経過時点の出力進捗が、ニュース６割のうち３分の１を出力済みであったとすると、以降の出力配分はニュース５割、スポーツ５割となる。
【００５６】
コンテンツ提供時間推定部３５０は、一定時間経過時点の出力進捗に応じたコンテンツリスト、コンテンツの出力配分及びコンテンツ提供可否に関する情報又はコンテンツ提供候補区間に関する情報に基づいて、出力を開始するまでに要する時間を推計してコンテンツ提供時間を推定する（Ｓ１１９）。
【００５７】
図９において、例えば、出力を開始するまでに、管理番号３５１が１１から２０までの時間を要する場合は、管理番号３５１が２０以前の時間をコンテンツ提供時間から除く。
【００５８】
コンテンツ提供時間推定部３５０は、コンテンツリスト、コンテンツの出力配分及びコンテンツ提供時間に関する情報に基づいて、経路の部分区間に付された属性情報に応じた編集リストを作成する（Ｓ１２０）。
【００５９】
図１０は、作成された編集リストの例を示す図である。編集リストは、編集を行う区間を管理する管理番号３５１、編集を行う区間の位置情報３５２、編集を行う区間の所要時間３５３、編集対象のコンテンツの種類３５７及びコンテンツの種類ごとの出力配分３５８を含む。
【００６０】
作成された編集リストは、編集部３６０に入力される。
【００６１】
編集部３６０は、編集リストが入力されると、編集リストに示されたコンテンツの種類に従って、コンテンツ格納部３４０に、コンテンツリスト取得要求及びコンテンツ取得要求を与え、これらを取得する（Ｓ１２１）。取得したコンテンツを、取得したコンテンツリスト及び編集リストに従って編集し、経路の部分区間に付された属性情報に応じた編集済みコンテンツ及び編集済みコンテンツリストを作成する（Ｓ１２２）。
【００６２】
編集方法は、例えば、特開２００２−２６９１４１号公報に開示されている方法を用いることができる。ただし、画面出力の際の文字スクロール速度又は音声出力の際の再生速度等を変更してコンテンツ提供時間を増減する編集をしてもよい。
【００６３】
コンテンツ格納部３４０から取得したコンテンツは、編集後の出力時間について、所定の上限値及び下限値を有し、編集後の出力時間がその範囲内となるように編集する。
【００６４】
例えば、該当するコンテンツがニュースである場合、そのニュースの内容を理解するために必要な最小限の情報を含む要約を下限値とし、詳細な情報を全て含む内容を上限値とし、出力時間がその上限値と下限値の間から逸脱しないように編集する。このため、コンテンツの内容を理解できる範囲で編集することができる。
【００６５】
編集部３６０は、作成した編集済みコンテンツリストを、出力管理部３７０に与える。
【００６６】
図１１は、編集済みコンテンツリストの例を示す図である。編集済みコンテンツリストは、出力を行う区間を管理する管理番号３６１、出力を行う区間の位置情報３６２、出力を行うコンテンツの種類３６３、出力内容３６４、その他出力を行うにあたっての設定（再生速度等）３６５を含む。ここで、出力内容３６４の各項目の内容が、編集済みコンテンツである。
【００６７】
出力管理部３７０は、編集部３６０によって作成された編集済みコンテンツリストを受けて、記憶領域（図示せず）に格納する。出力管理部３７０は、車載装置３０に内蔵されたタイマー装置（図示せず）が所定間隔で発生するイベントを受けて、所定間隔で現在位置取得部３１０から車両の現在位置を取得し（Ｓ１２３）、その位置に応じた編集済みコンテンツを出力部３８０に与える。
【００６８】
出力部３８０は、出力管理部３７０から与えられた現在位置に応じた編集済みコンテンツを出力する（Ｓ１２４）。
【００６９】
コンテンツ提供時間変化検出部３９０は、編集済みコンテンツの出力がすべて終了していない場合（Ｓ１２５）、車載装置３０に内蔵されたタイマー装置（図示せず）から、所定間隔で発生されるイベントを受けて、現在位置取得部３１０に車両の現在位置の取得要求を与え、これを取得する（Ｓ１２６）。そして、取得した現在位置及び指示入力部３００から与えられた目的地を含む経路検索に必要な情報を、送信部３２０に与え、経路検索格納部３３０に経路検索結果の取得要求を与え、これを取得する（Ｓ１２７）。
【００７０】
コンテンツ提供時間変化検出部３９０は、取得した最新の経路検索結果と記憶領域に格納された経路検索結果とを比較し、各区間の所要時間が所定の値以上に変化したことを検出すると（Ｓ１２８）、最新の経路検索結果を、それまで記憶領域に格納されていた経路検索結果に代わって、経路検索結果を格納する記憶領域に格納すると共に、コンテンツ提供時間推定部３５０に、経路検索結果を取得する取得要求を与え（Ｓ１１０）、コンテンツの再編集（Ｓ１１１〜Ｓ１２２）を開始する。
【００７１】
ここで、編集部３６０等は、現在位置から目的地又は中継地に到達するまでの所要時間と、これから出力するコンテンツの出力時間とが概ね一致するようにコンテンツを再編集する。また、現在位置から目的地又は中継地までの区間に、コンテンツ提供不可区間がある場合は、現在位置から目的地又は中継地に到達するまでの所要時間からコンテンツ提供不可区間の所要時間を除いた時間と、これから出力するコンテンツの出力時間とが概ね一致するようにコンテンツを再編集する。
【００７２】
一方、各区間の所要時間が所定の値以上に変化しなかった場合は（Ｓ１２８）、そのまま編集済みコンテンツの出力を続行する（Ｓ１２４）。
【００７３】
なお、コンテンツ提供時間変化検出部３９０は、最新の道路状況等の情報に基づいて所要時間を算出し、その結果から所要時間の変化を検出してもよい。例えば、送受信部３２０は、車外から提供される道路混雑情報を受信する機能を備え、受信した内容をコンテンツ提供時間変化検出部３９０に与える。コンテンツ提供時間変化検出部３９０は、その内容に基づいて所要時間を算出し、その結果を記憶領域に格納された経路検索結果と比較し、所定の値以上の変化を検出すると、コンテンツの再編集を開始する（Ｓ１２８）。ここで、車外から提供される道路混雑情報は、例えば、サーバ１０から提供されるものであってもよいし、ＦＭ若しくはビーコンから受信したＶＩＣＳ情報又はＡＴＩＳによって提供される情報等であってもよい。
【００７４】
また、コンテンツ提供時間変化検出部３９０は、速度検出部（図示せず）から与えられる車両の速度情報に基づいて所要時間を算出し、その結果から所要時間の変化を検出してもよい。例えば、速度検出部が検出した車両の移動速度から、平均時速を求め、この平均時速から所要時間を算出する。その結果を記憶領域に格納された経路検索結果と比較し、所定の値以上の変化を検出すると、コンテンツの再編集を開始する（Ｓ１２８）。
【００７５】
このように、所要時間の変化を検出して再編集を行うことによって、道路状況の変化に対応したコンテンツ提供を実現することができる。例えば、道路混雑によって目的地への到着時間が遅れる場合、所定の上限値を超えない範囲で、提供するコンテンツの量を増やす再編集を行うことによって、目的地に到着するまでコンテンツを提供し続けることができる。また、道路混雑が解消して到着時間が早まる場合は、所定の下限値を下回らない範囲で、提供するコンテンツの量を削減する再編集を行うことによって、目的地に到着するまでに全てのコンテンツの提供を終えることができる。
【００７６】
編集済みコンテンツの出力がすべて終了すると、コンテンツ提供の処理は終了する（Ｓ１２９）。
【実施例２】
【００７７】
本発明第２の実施例を図面を参照して説明する。第２の実施例は、車載装置３０でコンテンツの編集をせず、サーバ１０でコンテンツの編集をする点で、前述した第１の実施例と異なる。なお、第２の実施例において、前述した第１の実施例と同じ構成はその詳細な説明を省略する。
【００７８】
本実施例の車載コンテンツ提供システムは、第１の実施例（図１）と同様に、サーバ１０と、インターネット２０と、車載装置３０とから成る。
【００７９】
サーバ１０は、車載装置３０から、経路検索に必要な情報及びコンテンツの配信要求を受信して、編集済みコンテンツリストを車載装置３０に送信する。
【００８０】
車載装置３０は、経路検索に必要な情報及びコンテンツの配信要求をサーバ１０に送信し、サーバ１０から受信した編集済みコンテンツを車両位置に応じて出力する。
【００８１】
サーバ１０と車載装置３０との間の通信は、インターネット２０を介して行われる。
【００８２】
図１２は、本実施例のサーバ１０の構成を示すブロック図である。サーバ１０は、送受信部１００Ａと、経路検索部１１０Ａと、コンテンツ検索部１２０Ａと、データベース１３０Ａと、コンテンツ提供時間推定部１４０Ａと、編集部１５０Ａとから成る。
【００８３】
送受信部１００Ａは、車載装置３０からの信号を受信して、ベースバンド信号に変換し、サーバ１０からのデータを変調して、車載装置３０に送信する。
【００８４】
経路検索部１１０Ａは、現在位置、目的地、混雑情報等に基づいて経路検索を行う。
【００８５】
コンテンツ検索部１２０Ａは、コンテンツの配信要求の内容に適合するコンテンツをデータベース１３０Ａから検索し、コンテンツの配信要求の内容に適合するコンテンツリストを作成する。
【００８６】
データベース１３０Ａは、各種のコンテンツ及びコンテンツリストを格納する。格納されているコンテンツリストは、第１の実施例と同様である（図３）。
【００８７】
コンテンツ提供時間推定部１４０Ａは、経路検索結果等に基づいて、コンテンツ提供時間を推定する。また、コンテンツ提供時間、コンテンツリスト、出力進捗等に基づいて、編集リストを作成する。
【００８８】
編集部１５０Ａは、編集リスト及びコンテンツリストに基づいて、コンテンツを編集し、編集済みコンテンツリストを作成する。
【００８９】
図１３は、本実施例の車載装置３０の構成を示すブロック図である。車載装置３０は、指示入力部３００Ａと、現在位置取得部３１０Ａと、送受信部３２０Ａと、出力管理部３３０Ａと、出力部３４０Ａとから成る。
【００９０】
指示入力部３００Ａは、目的地を含む経路検索に必要な情報、コンテンツの種類を含むコンテンツの配信要求内容、及び、各種の指示を、利用者から入力されると、現在位置取得部３１０Ａから現在位置を取得し、これらを送受信部３２０Ａに与える。
【００９１】
現在位置取得部３１０Ａは、現在位置の取得要求を受けると、車両の現在位置の情報を提供する。
【００９２】
送受信部３２０Ａは、サーバ１０からの信号を受信して、ベースバンド信号に変換し、車載装置３０からのデータを変調して、サーバ１０に送信する。
【００９３】
出力管理部３３０Ａは、車両の現在位置に応じた編集済みコンテンツを出力部３４０Ａに与える。
【００９４】
出力部３４０Ａは、出力管理部３３０Ａから与えられた編集済みコンテンツを出力する。
【００９５】
図１４は、本実施例の車載コンテンツ提供システムの処理過程を示すフローチャートである。
【００９６】
車載装置３０の指示入力部３００Ａが指示を受け付ける動作を開始すると（Ｓ２００）、利用者は、指示入力部３００Ａから、目的地を含む経路検索に必要な情報、コンテンツの種類を含むコンテンツの配信要求内容、及び、各種の指示を入力する（Ｓ２０１）。各種の指示には、編集方法に関する指示、複数のコンテンツを指示した場合に必要とされる出力配分に関する指示等が含まれる。
【００９７】
指示入力部３００Ａは、目的地を含む経路検索に必要な情報を入力されると、現在位置取得部３１０Ａに車両の現在位置の取得要求を与え、これを取得する（Ｓ２０２）。
【００９８】
指示入力部３００Ａは、現在位置、目的地を含む経路検索に必要な情報及びコンテンツの種類を含むコンテンツの配信要求内容を送受信部３２０Ａに与える。送受信部３２０Ａは、現在位置、目的地を含む経路検索に必要な情報及びコンテンツの種類を含むコンテンツの配信要求内容を、データを変調して、サーバ１０に送信する（Ｓ２０３）。
【００９９】
サーバ１０の送受信部１００Ａは、インターネット２０を介して、現在位置、目的地を含む経路検索に必要な情報と、コンテンツの種類を含むコンテンツの配信要求内容を受信する（Ｓ２０４）。経路検索部１１０Ａは、車載装置３０から受信した経路検索に必要な情報と、予想を含む混雑情報に基づいて、経路検索を行う（Ｓ２０５）。経路検索結果は、第１の実施例と同様である（図６）。
【０１００】
コンテンツ検索部１２０Ａは、車載装置３０から受信した、コンテンツの種類を含むコンテンツの配信要求内容に適合するコンテンツを、データベース１３０Ａから検索する（Ｓ２０６）。また、コンテンツ検索部１２０Ａは、データベース１３０Ａに格納されたコンテンツリストから、車載装置３０から受信したコンテンツの種類を含むコンテンツの配信要求内容に適合するコンテンツリストを作成する（Ｓ２０７）。作成されるコンテンツリストは、第１の実施例と同様である（図７）。
【０１０１】
経路検索部１１０Ａは、作成された経路検索結果を、コンテンツ提供時間推定部１４０Ａに与える。また、コンテンツ検索部１２０Ａは、検索されたコンテンツ及び作成されたコンテンツリストを、コンテンツ提供時間推定部１４０Ａに与える（Ｓ２０８）。
【０１０２】
コンテンツ提供時間推定部１４０Ａは、計時部（図示せず）によって算出された、経路検索に必要な情報等の受信に要した時間を含む経路検索に要した時間に基づいて、経路検索部１１０Ａから与えられた経路検索結果を、経路検索に要した時間が経過した後の経路検索結果に更新する（Ｓ２０９）。更新された経路検索結果は、第１の実施例と同様である（図８）。
【０１０３】
コンテンツ提供時間推定部１４０Ａは、該経路の部分区間に付された属性情報に基づいて、該部分区間でのコンテンツ提供可否を判定する（Ｓ２１０）。この判定は、第１の実施例と同様に行う（図９）。
【０１０４】
また、コンテンツ提供時間推定部１４０Ａは、第１の実施例と同様に、コンテンツ提供の長時間の中断を回避するために、コンテンツ提供候補区間を推定してもよい（Ｓ２１１、Ｓ２１２）。
【０１０５】
コンテンツ提供時間推定部１４０Ａは、コンテンツリスト、コンテンツの出力配分及びコンテンツ提供可否に関する情報又はコンテンツ提供候補区間に関する情報に基づいて、出力を開始するまでに要する時間を推計し、コンテンツ提供時間を推定する（Ｓ２１３）。ここで、コンテンツの出力配分は、予め設定されたものであってもよいし、車載装置３０の指示入力部３００Ａを通じて入力されたものであってもよい。
【０１０６】
コンテンツ提供時間推定部１４０Ａは、コンテンツリスト、コンテンツの出力配分及びコンテンツ提供時間に関する情報に基づいて、経路の部分区間に付された属性情報に応じた編集リストを作成する（Ｓ２１４）。編集リストの内容は、第１の実施例と同様である（図１０）。
【０１０７】
作成された編集リストは、編集部１５０Ａに入力される。
【０１０８】
編集部１５０Ａは、編集リストを入力されると、コンテンツリスト及び編集リストに従ってコンテンツを編集し、経路の部分区間に付された属性情報に応じた編集済みコンテンツリストを作成する（Ｓ２１５）。編集方法は、第１の実施例と同様である。作成される編集済みコンテンツも第１の実施例と同様である（図１１）。
【０１０９】
編集部１５０Ａは、作成した編集済みコンテンツリストを、送受信部１００Ａに与える。そして、送受信部１００Ａは、インターネット２０を介して、編集済みコンテンツリストを車載装置３０へ送信する（Ｓ２１６）。
【０１１０】
車載装置３０の送受信部３２０Ａは、編集済みコンテンツリストをサーバ１０から受信して、ベースバンド信号に変換する（Ｓ２１７）。出力管理部３３０Ａは、受信した編集済みコンテンツリストを、記憶領域（図示せず）に格納する。出力管理部３３０Ａは、車載装置３０に内蔵されたタイマー装置（図示せず）が所定間隔で発生するイベントを受けて、所定間隔で現在位置取得部３１０Ａから車両の現在位置を取得し（Ｓ２１８）、その位置に応じた編集済みコンテンツを出力部３４０Ａに与える。
【０１１１】
出力部３４０Ａは、出力管理部３３０Ａから与えられた現在位置に応じた編集済みコンテンツを出力する（Ｓ２１９）。
【０１１２】
編集済みコンテンツリストの出力がすべて終了していない場合（Ｓ２２０）は出力を続行し（Ｓ２１８，Ｓ２１９）、編集済みコンテンツリストの出力がすべて終了すると（Ｓ２２０）、コンテンツ提供の処理は終了する（Ｓ２２１）。
【産業上の利用可能性】
【０１１３】
本発明は、例えば、カーナビゲーションシステムを利用した情報提供サービスに適用することができ、特に、運転の安全性確保に配慮しつつ、目的地への到着時間の変動に適応したサービスを提供する際に有効である。
【図面の簡単な説明】
【０１１４】
【図１】本発明の第１の実施例の車載コンテンツ提供システムの構成を示すブロック図である。
【図２】本発明の第１の実施例のサーバの構成を示すブロック図である。
【図３】コンテンツリストの例を示す図である。
【図４】本発明の第１の実施例の車載装置の構成を示すブロック図である。
【図５】本発明の第１の実施例の車載コンテンツ提供システムの処理過程を示すフローチャートである。
【図６】経路検索結果の例を示す図である。
【図７】コンテンツの種類としてニュース及びスポーツを指定した配信要求を受信した場合のコンテンツリストの例を示す図である。
【図８】経路検索結果を現在以遠のものに更新した例を示す図である。
【図９】コンテンツ提供不可区間の判定の例を示す図である。
【図１０】編集リストの例を示す図である。
【図１１】編集済みコンテンツリストの例を示す図である。
【図１２】本発明の第２の実施例のサーバの構成を示すブロック図である。
【図１３】本発明の第２の実施例の車載装置の構成を示すブロック図である。
【図１４】本発明の第２の実施例の車載コンテンツ提供システムの処理過程を示すフローチャートである。
【符号の説明】
【０１１５】
１０  サーバ
２０  インターネット
３０  車載装置
１００、１００Ａ  送受信部
１１０、１１０Ａ  経路検索部
１２０、１２０Ａ  コンテンツ検索部
１３０、１３０Ａ  データベース
１４０Ａ  コンテンツ提供時間推定部
１５０Ａ  編集部
３００、３００Ａ  指示入力部
３１０、３１０Ａ  現在位置取得部
３２０、３２０Ａ  送受信部
３３０  経路検索格納部
３４０  コンテンツ格納部
３５０  コンテンツ提供時間推定部
３６０  編集部
３７０、３７０Ａ  出力管理部
３８０、３８０Ａ  出力部
３９０  コンテンツ提供時間変化検出部
【図１】
2005257365.tif 000003
【図２】
2005257365.tif 000004
【図３】
2005257365.tif 000005
【図４】
2005257365.tif 000006
【図５】
2005257365.tif 000007
【図６】
2005257365.tif 000008
【図７】
2005257365.tif 000009
【図８】
2005257365.tif 000010
【図９】
2005257365.tif 000011
【図１０】
2005257365.tif 000012
【図１１】
2005257365.tif 000013
【図１２】
2005257365.tif 000014
【図１３】
2005257365.tif 000015
【図１４】
2005257365.tif 000016